(57)【要約】【課題】鼻輪を取付具に装着する際、ワンタッチ的に簡単に行うことができ、効率がよく作業性を向上できる牛の鼻輪の取付具を得る。【解決手段】弾性体よりなるＣ字状環体の一端に矢尻状の突刺杆を設け、他端に前記突刺杆が係止する結合部を設けた牛の鼻輪の取付具であって、一対の杆７ａ，７ｂの中央部を相互に軸着して鋏状に形成し、その開口部を鼻輪の形状に合せるとともに、断面を内面が半円弧状の溝８に形成し、両端部に鼻輪の突刺杆と結合部をそれぞれ係止する係止部９ａ，９ｂを形成した牛の鼻輪取付具において、前記結合部が係止する係止部９ｂを、係止孔１０を設けた平板状部１１に形成し、この係止孔１０に嵌入する突起１３と、鼻輪に設けてある孔に挿入する突起１４とを対向面に備えたアタッチメント１２を、前記係止部９ｂに着脱自在に組合わせた。【選択図】        図１
2007300822.tif 000002
【特許請求の範囲】
【請求項１】
弾性体よりなるＣ字状環体の一端に矢尻状の突刺杆を設け、他端に前記突刺杆が係止する結合部を設けた牛の鼻輪の取付具であって、一対の杆の中央部を相互に軸着して鋏状に形成し、その開口部を鼻輪の形状に合せるとともに、断面を内面が半円弧状の溝に形成し、両端部に鼻輪の突刺杆と結合部をそれぞれ係止する係止部を形成した牛の鼻輪取付具において、前記結合部が係止する係止部を、係止孔を設けた平板状に形成し、この係止孔に嵌入する突起と、鼻輪に設けてある孔に挿入する突起とを対向面に備えたアタッチメントを、前記係止部に着脱自在に組合わせたことを特徴とする牛の鼻輪取付具。
【請求項２】
鼻輪に設けてある孔は、成形時のひずみを防止する肉盗み孔である請求項１記載の牛の鼻輪取付具。
【発明の詳細な説明】
【技術分野】
【０００１】
本発明は、牛の識別などのために牛の鼻に装着する鼻輪の取付具に関するものである。
【背景技術】
【０００２】
牛の鼻輪には例えば図７〜図９に示すものがあり、これは、硬質合成樹脂製リングの一箇所を分離させてＣ字状環体１を形成し、一方の分離端に矢尻状の突刺杆２を、他方の分離端に前記突刺杆２が結合する挿通孔５を有する結合部３を形成し、突刺杆２の基端部の係止段部２ａを結合部３に形成した係止部３ａに係止して突刺杆２と結合部３を結合することで、穿孔具による鼻中隔への穿孔作業を不要とし、また、鼻輪の装着もリングの一端を突刺杆２を他端の結合部３に挿入するだけの作業で足りるものとして、ネジ等で両端を連結する作業も不要としたものである。
【０００３】
図中４は、結合部３の外側に形成した成形時の脱型のための抜き孔、６は成形時のひずみを防止するための肉盗み孔を示す。
【０００４】
ところで、前記Ｃ字状環体１を牛の鼻に取付けるには、図５に示すような取付具を使用する。この取付具は、一対の杆７ａ，７ｂの中央部を相互に軸着して鋏状に形成し、断面を内面が半円弧状の溝８に形成し、両端部に鼻輪の突刺杆２と結合部３をそれぞれ係止する係止部９ａ，９ｂを形成してある（例えば特許文献１参照）。
【０００５】
前記係止部９ｂの形状は、図９に示すようにＣ字状環体１の結合部３の外形形状が横向の略蒲鉾型であることから、これに合致するような形状として、図６の正面図に示すように、断面略コ字形に形成してある。
【０００６】
そして、結合部３を係止部９ｂに装着するには、係止部９ｂの略コ字形の凹部内に略蒲鉾型の結合部３を無理やり押し込む。
【特許文献１】特開平１０−８４８０４号公報
【発明の開示】
【発明が解決しようとする課題】
【０００７】
取付具に鼻輪を取付ける際、取付具の係止部９ｂに鼻輪の結合部３を無理やり押しこむ方法では、作業に手間取り、作業性がよくなく、時間も要して効率がよくない。
【０００８】
本発明の目的は前記従来例の不都合を解消し、鼻輪を取付具に装着する際、ワンタッチ的に簡単に行うことができ、効率がよく作業性を向上できる牛の鼻輪の取付具を提供することにある。
【課題を解決するための手段】
【０００９】
本発明は前記目的を達成するため、請求項１記載の発明は、弾性体よりなるＣ字状環体の一端に矢尻状の突刺杆を設け、他端に前記突刺杆が係止する結合部を設けた牛の鼻輪の取付具であって、一対の杆の中央部を相互に軸着して鋏状に形成し、その開口部を鼻輪の形状に合せるとともに、断面を内面が半円弧状の溝に形成し、両端部に鼻輪の突刺杆と結合部をそれぞれ係止する係止部を形成した牛の鼻輪取付具において、前記結合部が係止する係止部を、係止孔を設けた平板状に形成し、この係止孔に嵌入する突起と、鼻輪に設けてある孔に挿入する突起とを対向面に備えたアタッチメントを、前記係止部に着脱自在に組合わせたことを要旨とするものである。
【００１０】
請求項１記載の本発明によれば、アタッチメントに設けてある突起を取付具に設けてある係止孔に挿入すれば、アタッチメントが取付具に装着され、この状態で鼻環に形成してある孔がアタッチメントに設けた突起に挿入されれば、鼻輪がアタッチメントを介して取付具に装着される。かかる装着は、突起と孔の嵌入だけで行える。
【００１１】
請求項２記載の発明は、鼻輪に設けてある孔は、成形時のひずみを防止する肉盗み孔であることを要旨とするものである。
【００１２】
請求項２記載の本発明によれば、アタッチメントに設けた突起に挿入される鼻輪側の孔は、肉盗み孔を利用するから、アタッチメントへの取付けのために別途格別に孔を穿設する必要がなく、鼻環に格別の加工を施さずにすむ。
【発明の効果】
【００１３】
以上述べたように本発明の牛の鼻輪取付具は、取付具に取付けたアタッチメントを介して突起と孔の嵌入による結合だけで、鼻輪を取付具に簡単に装着できるから、鼻輪の取付具への装着がワンタッチ的に容易に行えて作業性が向上するものである。
【発明を実施するための最良の形態】
【００１４】
以下、図面について本発明の実施形態を詳細に説明する。図１は本発明の牛の鼻輪取付具の実施形態を示す正面図で、鼻輪取付具の基本的構造および取付ける牛の鼻輪の構造は前記従来例と同様であり、鼻輪は、両端部に突刺杆２と結合部３が形成され、結合部３には外側に成形時の脱型のための抜き孔４、成形時のひずみを防止するための肉盗み孔６が形成してある。
【００１５】
取付具の基本構造は、一対の杆７ａ，７ｂの中央部を相互に軸着して鋏状に形成し、断面を内面が半円弧状の溝８に形成し、両端部に鼻輪の突刺杆２と結合部３をそれぞれ係止する係止部９ａ，９ｂを形成してある。
【００１６】
かかる取付具において、鼻輪の結合部３を係止する係止部９ｂの構造を、図２にも示すように係止孔１０を設けた平板状部１１に形成し、この平板状部１１の先端にこれと直交する下向きの方向に突片１５を後述のアタッチメントのストッパーとして突設する。
【００１７】
図中１２は前記平板状部１１の内側に着脱自在に取付けられるアタッチメントを示し、これは図３にも示すように、前記係止孔１０に嵌入する突起１３を上側に突設し、鼻輪の結合部３の外側に設けてある肉盗み孔６に挿入する４個の突起１４を下側に突設した。
【００１８】
以上のようにして平板状部１１とアタッチメント１２とで鼻輪の係止部９ｂを構成する。かかる係止部９ｂを備える取付具に鼻輪を係止する方法を説明すると、鼻輪の突刺杆２が係止される一方の係止部９ａについては従来と同様の方法で突刺杆２が保持される。
【００１９】
他方の係止部９ｂについては、アタッチメント１２を平板状部１１の下側にあてがい突起１３を係止孔１０に挿入すれば、図４に示すようにアタッチメント１２に設けてある突起１４が内側に突出する。
【００２０】
よって、鼻輪の結合部３をこのアタッチメント１２の内側に装着すれば、鼻輪結合部３の外側に形成されている肉盗み孔６に突起１４が挿入されて結合部３がアタッチメント１２を介して係止部９ｂに係止される。
【００２１】
かかる鼻輪の結合部３の、取付具の係止部９ｂへの取付けは、突起１４と肉盗み孔６との係合だけですみ、凹部内に無理に押しこむものではなく、ワンタッチ的に容易に行える。
【００２２】
なお、鼻輪には前記のタイプの他に、図１０に示すように、結合部の強度を上げ、破損を防止する目的で、肉盗み孔６や抜き孔４を鼻輪の内側に形成したものがある。かかるタイプの鼻輪については、結合部３の外側に突起１３を突設し、アタッチメント１２を外した状態で、取付具の係止部９ｂに直接装着すれば、突起１３が係止部９ｂに形成してある係止孔１０に挿入して鼻輪が係止部９ｂに直接結合される。
【図面の簡単な説明】
【００２３】
【図１】本発明の牛の鼻輪取付具の実施形態を示す一部切欠いた正面図である。
【図２】本発明の牛の鼻輪取付具の実施形態を示す要部である係止部の平面図である。
【図３】本発明の牛の鼻輪取付具の実施形態を示す要部であるアタッチメントの平面側と底面側の説明図である。
【図４】本発明の牛の鼻輪取付具の実施形態を示す係止部にアタッチメントを取付けた状態の正面図である。
【図５】従来の牛の鼻輪取付具を示す一部切欠いた正面図である。
【図６】従来の牛の鼻輪取付具の係止部の側面図である。
【図７】牛の鼻輪の一例を示す一部切欠いた正面図である。
【図８】牛の鼻輪の結合部の平面図である。
【図９】牛の鼻輪の結合部の側面図である。
【図１０】牛の鼻輪の他の例を示す一部切欠いた正面図である。
【符号の説明】
【００２４】
１  Ｃ字状環体                  ２  突刺杆
２ａ  係止段部                  ３  結合部
３ａ  係止部                    ４  抜き孔
５  挿通孔                      ６  肉盗み孔
７ａ，７ｂ  杆                  ８  溝
９ａ，９ｂ  係止部              １０  係止孔
１１  平板状部                  １２  アタッチメント
１３  突起                      １４  突起
１５  突片
【図１】
2007300822.tif 000003
【図２】
2007300822.tif 000004
【図３】
2007300822.tif 000005
【図４】
2007300822.tif 000006
【図５】
2007300822.tif 000007
【図６】
2007300822.tif 000008
【図７】
2007300822.tif 000009
【図８】
2007300822.tif 000010
【図９】
2007300822.tif 000011
【図１０】
2007300822.tif 000012